【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
互いに嵌合される電源側コネクタおよび機器側コネクタを備えるコネクタ装置において、
前記機器側コネクタは、電気機器に接続されるものであって、
前記電源側コネクタからの電力供給を受けるための２つの受電端子を有し、
前記電源側コネクタは、直流電源に接続されるものであって、
前記２つの受電端子に対応する２つの給電端子と、
前記給電端子と前記直流電源とを電気的に接続するための接続位置と、前記給電端子と前記直流電源との接続を解除するための解除位置との間で移動されるスイッチ部材とを有するコネクタ装置。
【請求項２】
互いに嵌合される電源側コネクタおよび機器側コネクタを備えるコネクタ装置において、
前記機器側コネクタは、電気機器に接続されるものであって、
前記電源側コネクタからの電力供給を受けるための２つの受電端子を有し、
前記電源側コネクタは、電源に接続されるものであって、
前記２つの受電端子に対応する２つの給電端子と、
前記給電端子と前記電源とを電気的に接続するための接続位置と、前記給電端子と前記電源との接続を解除するための解除位置との間で移動されるスイッチ部材と、
前記電源側コネクタと前記機器側コネクタとの嵌合前に、前記スイッチ部材の前記解除位置から前記接続位置への移動を規制する規制機構とを有するコネクタ装置。
【請求項３】
前記規制機構は、前記電源側コネクタと前記機器側コネクタとの嵌合後に、前記スイッチ部材の前記解除位置から前記接続位置への移動を許容する請求項２に記載のコネクタ装置。
【請求項４】
前記規制機構は、前記スイッチ部材の移動経路に侵入する侵入位置と、前記移動経路から外れる後退位置との間で移動され、且つ、前記後退位置から前記侵入位置に付勢される可動部材を有し、
前記電源側コネクタと前記機器側コネクタとが嵌合する際に、前記機器側コネクタが前記可動部材を押圧することによって、前記可動部材が前記侵入位置から前記後退位置へ移動する請求項３に記載のコネクタ装置。
【請求項５】
前記機器側コネクタの筐体には、凸部が設けられ、
前記電源側コネクタの筐体には、前記凸部と嵌合される凹部が設けられ、
前記可動部材は、前記凹部の内壁面から出没されるボタン部を備え、
前記凸部と前記凹部とが嵌合する際に、前記凸部が前記ボタン部を押圧することによって、前記ボタン部が没入方向に移動し、前記可動部材が前記侵入位置から前記後退位置へ移動する請求項４に記載のコネクタ装置。
【請求項６】
前記電源側コネクタと前記機器側コネクタとが嵌合した状態で、前記スイッチ部材が前記解除位置から前記接続位置に移動すると、前記電源側コネクタと前記機器側コネクタとの分離を制限する制限機構を更に有する請求項２〜５のいずれかに記載のコネクタ装置。
【請求項７】
前記制限機構は、前記機器側コネクタの筐体に嵌合方向と垂直に設けられる係合孔と、リンク部材を介して前記スイッチ部材に連結される移動部材とを備え、
前記電源側コネクタと前記機器側コネクタとが嵌合した状態で、前記スイッチ部材が前記解除位置から前記接続位置に移動すると、前記移動部材の先端部が前記係合孔内に挿入される請求項６に記載のコネクタ装置。
【請求項８】
前記電源側コネクタの内部には、内部接点が設けられ、
前記スイッチ部材を解除位置から接続位置に移動することによって、前記内部接点が閉じ、前記電源と前記２つの給電端子とが電気的に接続される請求項２〜７のいずれかに記載のコネクタ装置。
【請求項９】
前記内部接点は、互いに接離される２つの端子を有し、
該２つの端子の一方が他方に対して離間する方向に付勢されている請求項８に記載のコネクタ装置。
【請求項１０】
前記電源側コネクタの内部には、リレーが設けられ、
前記内部接点が閉じることによって、前記リレーが動作し、前記電源と前記２つの給電端子とが電気的に接続される請求項８または９に記載のコネクタ装置。
【請求項１１】
前記電源側コネクタは、前記スイッチ部材の移動によって変形、復元する弾性部材を更に有し、
前記弾性部材は、前記スイッチ部材が前記接続位置と前記解除位置との間の所定位置にあるとき、最も変形し、
前記スイッチ部材は、前記弾性部材の復元力によって、前記所定位置から、前記接続位置または前記解除位置に移動する請求項２〜１０のいずれかに記載のコネクタ装置。
【請求項１２】
前記機器側コネクタは、接地用端子を有し、
前記電源側コネクタは、前記機器側コネクタの接地用端子に対応する接地用端子を有し、
前記電源側コネクタと前記機器側コネクタとが嵌合した状態では、前記機器側コネクタの接地用端子と、前記電源側コネクタの接地用端子とが嵌合した状態にある請求項２〜１１のいずれかに記載のコネクタ装置。
【請求項１３】
前記電源により供給される電力は、直流である請求項２〜１２のいずれかに記載のコネクタ装置。
【請求項１４】
前記電源により供給される電力の電圧は、４８Ｖ以上である請求項２〜１３のいずれかに記載のコネクタ装置。
【請求項１５】
電気機器に接続される機器側コネクタと嵌合される電源側コネクタにおいて、
前記電源側コネクタは、
直流電源に接続されるものであって、
前記機器側コネクタの２つの受電端子に対応する２つの給電端子と、
前記給電端子と前記直流電源とを電気的に接続するための接続位置と、前記給電端子と前記直流電源との接続を解除するための解除位置との間で移動されるスイッチ部材とを有する電源側コネクタ。
【請求項１６】
電気機器に接続される機器側コネクタと嵌合される電源側コネクタにおいて、
前記電源側コネクタは、
電源に接続されるものであって、
前記機器側コネクタの２つの受電端子に対応する２つの給電端子と、
前記給電端子と前記電源とを電気的に接続するための接続位置と、前記給電端子と前記電源との接続を解除するための解除位置との間で移動されるスイッチ部材と、
前記電源側コネクタと前記機器側コネクタとの嵌合前に、前記スイッチ部材の前記解除位置から前記接続位置への移動を規制する規制機構とを有する電源側コネクタ。
【請求項１７】
前記規制機構は、前記電源側コネクタと前記機器側コネクタとの嵌合後に、前記スイッチ部材の前記解除位置から前記接続位置への移動を許容する請求項１６に記載の電源側コネクタ。
【請求項１８】
前記規制機構は、前記スイッチ部材の移動経路に侵入する侵入位置と、前記移動経路から外れる後退位置との間で移動され、且つ、前記後退位置から前記侵入位置に付勢される可動部材を有し、
前記電源側コネクタと前記機器側コネクタとが嵌合する際に、前記機器側コネクタが前記可動部材を押圧することによって、前記可動部材が前記侵入位置から前記後退位置へ移動する請求項１７に記載の電源側コネクタ。
【請求項１９】
前記電源側コネクタの筐体には、前記機器側コネクタの筐体に設けられる凸部と嵌合される凹部が設けられ、
前記可動部材は、前記凹部の内壁面から出没されるボタン部を備え、
前記凸部と前記凹部とが嵌合する際に、前記凸部が前記ボタン部を押圧することによって、前記ボタン部が没入方向に移動し、前記可動部材が前記侵入位置から前記後退位置へ移動する請求項１８に記載の電源側コネクタ。
【請求項２０】
前記電源側コネクタは、リンク部材を介して前記スイッチ部材に連結される移動部材を有し、
前記電源側コネクタと前記機器側コネクタとが嵌合した状態で、前記スイッチ部材が前記解除位置から前記接続位置に移動すると、前記移動部材の先端部が前記機器側コネクタの筐体の係合孔内に挿入される請求項１６〜１９のいずれかに記載の電源側コネクタ。
【請求項２１】
前記電源側コネクタの内部には、内部接点が設けられ、
前記スイッチ部材を解除位置から接続位置に移動することによって、前記内部接点が閉じ、前記電源と前記２つの給電端子とが電気的に接続される請求項１６〜２０のいずれかに記載の電源側コネクタ。
【請求項２２】
前記内部接点は、互いに接離される２つの端子を有し、
該２つの端子の一方が他方に対して離間する方向に付勢されている請求項２１に記載の電源側コネクタ。
【請求項２３】
前記電源側コネクタの内部には、リレーが設けられ、
前記内部接点が閉じることによって、前記リレーが動作し、前記電源と前記２つの給電端子とが電気的に接続される請求項２１または２２に記載の電源側コネクタ。
【請求項２４】
前記電源側コネクタは、前記スイッチ部材の移動によって変形、復元する弾性部材を更に有し、
前記弾性部材は、前記スイッチ部材が前記接続位置と前記解除位置との間の所定位置にあるとき、最も変形し、
前記スイッチ部材は、前記弾性部材の復元力によって、前記所定位置から、前記接続位置または前記解除位置に移動する請求項１６〜２３のいずれかに記載の電源側コネクタ。
【請求項２５】
前記電源側コネクタは、前記機器側コネクタの接地用端子に対応する接地用端子を有し、
前記電源側コネクタと前記機器側コネクタとが嵌合した状態では、前記機器側コネクタの接地用端子と、前記電源側コネクタの接地用端子とが嵌合した状態にある請求項１６〜２４のいずれかに記載の電源側コネクタ。
【請求項２６】
前記電源により供給される電力は、直流である請求項１６〜２５のいずれかに記載の電源側コネクタ。
【請求項２７】
前記電源により供給される電力の電圧は、４８Ｖ以上である請求項１６〜２６のいずれかに記載の電源側コネクタ。
【請求項２８】
電気機器に接続される機器側コネクタと嵌合される電源側コネクタが複数設けられている電力供給ユニットにおいて、
前記電源側コネクタは、
直流電源に接続されるものであって、
前記機器側コネクタの２つの受電端子に対応する２つの給電端子と、
前記給電端子と前記直流電源とを電気的に接続するための接続位置と、前記給電端子と前記直流電源との接続を解除するための解除位置との間で移動されるスイッチ部材とを有する電力供給ユニット。
【請求項２９】
電気機器に接続される機器側コネクタと嵌合される電源側コネクタが複数設けられている電力供給ユニットにおいて、
前記電源側コネクタは、
電源に接続されるものであって、
前記機器側コネクタの２つの受電端子に対応する２つの給電端子と、
前記給電端子と前記電源とを電気的に接続するための接続位置と、前記給電端子と前記電源との接続を解除するための解除位置との間で移動されるスイッチ部材と、
前記電源側コネクタと前記機器側コネクタとの嵌合前に、前記スイッチ部材の前記解除位置から前記接続位置への移動を規制する規制機構とを有する電力供給ユニット。
【請求項３０】
前記規制機構は、前記電源側コネクタと前記機器側コネクタとの嵌合後に、前記スイッチ部材の前記解除位置から前記接続位置への移動を許容する請求項２９に記載の電力供給ユニット。
【請求項３１】
前記規制機構は、前記スイッチ部材の移動経路に侵入する侵入位置と、前記移動経路から外れる後退位置との間で移動され、且つ、前記後退位置から前記侵入位置に付勢される可動部材を有し、
前記電源側コネクタと前記機器側コネクタとが嵌合する際に、前記機器側コネクタが前記可動部材を押圧することによって、前記可動部材が前記侵入位置から前記後退位置へ移動する請求項３０に記載の電力供給ユニット。
【請求項３２】
前記電源側コネクタの筐体には、前記機器側コネクタの筐体に設けられる凸部と嵌合される凹部が設けられ、
前記可動部材は、前記凹部の内壁面から出没されるボタン部を備え、
前記凸部と前記凹部とが嵌合する際に、前記凸部が前記ボタン部を押圧することによって、前記ボタン部が没入方向に移動し、前記可動部材が前記侵入位置から前記後退位置へ移動する請求項３１に記載の電力供給ユニット。
【請求項３３】
前記電源側コネクタは、リンク部材を介して前記スイッチ部材に連結される移動部材を有し、
前記電源側コネクタと前記機器側コネクタとが嵌合した状態で、前記スイッチ部材が前記解除位置から前記接続位置に移動すると、前記移動部材の先端部が前記機器側コネクタの筐体の係合孔内に挿入される請求項２９〜３２のいずれかに記載の電力供給ユニット。
【請求項３４】
前記電源側コネクタの内部には、内部接点が設けられ、
前記スイッチ部材を解除位置から接続位置に移動することによって、前記内部接点が閉じ、前記電源と前記２つの給電端子とが電気的に接続される請求項２９〜３３のいずれかに記載の電力供給ユニット。
【請求項３５】
前記内部接点は、互いに接離される２つの端子を有し、
該２つの端子の一方が他方に対して離間する方向に付勢されている請求項３４に記載の電力供給ユニット。
【請求項３６】
前記電源側コネクタの内部には、リレーが設けられ、
前記内部接点が閉じることによって、前記リレーが動作し、前記電源と前記２つの給電端子とが電気的に接続される請求項３４または３５に記載の電力供給ユニット。
【請求項３７】
前記電源側コネクタは、前記スイッチ部材の移動によって変形、復元する弾性部材を更に有し、
前記弾性部材は、前記スイッチ部材が前記接続位置と前記解除位置との間の所定位置にあるとき、最も変形し、
前記スイッチ部材は、前記弾性部材の復元力によって、前記所定位置から、前記接続位置または前記解除位置に移動する請求項２９〜３６のいずれかに記載の電力供給ユニット。
【請求項３８】
前記電源側コネクタは、前記機器側コネクタの接地用端子に対応する接地用端子を有し、
前記電源側コネクタと前記機器側コネクタとが嵌合した状態では、前記機器側コネクタの接地用端子と、前記電源側コネクタの接地用端子とが嵌合した状態にある請求項２９〜３７のいずれかに記載の電力供給ユニット。
【請求項３９】
前記電源により供給される電力は、直流である請求項２９〜３８のいずれかに記載の電力供給ユニット。
【請求項４０】
前記電源により供給される電力の電圧は、４８Ｖ以上である請求項２９〜３９のいずれかに記載の電力供給ユニット。
【手続補正２】
【補正対象書類名】明細書
【補正対象項目名】発明の名称
【補正方法】変更
【補正の内容】
【発明の名称】コネクタ装置、電源側コネクタ、及び電力供給ユニット
【手続補正３】
【補正対象書類名】明細書
【補正対象項目名】０００１
【補正方法】変更
【補正の内容】
【０００１】
本発明は、電源から電気機器へ電力を供給するために用いられるコネクタ装置、電源側コネクタ、及び電力供給ユニットに関する。
【手続補正４】
【補正対象書類名】明細書
【補正対象項目名】０００６
【補正方法】変更
【補正の内容】
【０００６】
本発明は、上記点に鑑みてなされたものであり、電力を供給するのに適したコネクタ装置、電源側コネクタ、及び電力供給ユニットを提供することを目的とするものである。
【手続補正５】
【補正対象書類名】明細書
【補正対象項目名】０００７
【補正方法】変更
【補正の内容】
【０００７】
本発明の第１の態様によれば、
互いに嵌合される電源側コネクタおよび機器側コネクタを備えるコネクタ装置において、
前記機器側コネクタは、電気機器に接続されるものであって、
前記電源側コネクタからの電力供給を受けるための２つの受電端子を有し、
前記電源側コネクタは、直流電源に接続されるものであって、
前記２つの受電端子に対応する２つの給電端子と、
前記給電端子と前記直流電源とを電気的に接続するための接続位置と、前記給電端子と前記直流電源との接続を解除するための解除位置との間で移動されるスイッチ部材とを有するコネクタ装置が提供される。
【手続補正６】
【補正対象書類名】明細書
【補正対象項目名】０００８
【補正方法】変更
【補正の内容】
【０００８】
また、本発明の第２の態様によれば、
互いに嵌合される電源側コネクタおよび機器側コネクタを備えるコネクタ装置において、
前記機器側コネクタは、電気機器に接続されるものであって、
前記電源側コネクタからの電力供給を受けるための２つの受電端子を有し、
前記電源側コネクタは、電源に接続されるものであって、
前記２つの受電端子に対応する２つの給電端子と、
前記給電端子と前記電源とを電気的に接続するための接続位置と、前記給電端子と前記電源との接続を解除するための解除位置との間で移動されるスイッチ部材と、
前記電源側コネクタと前記機器側コネクタとの嵌合前に、前記スイッチ部材の前記解除位置から前記接続位置への移動を規制する規制機構とを有するコネクタ装置が提供される。
【手続補正７】
【補正対象書類名】明細書
【補正対象項目名】０００９
【補正方法】変更
【補正の内容】
【０００９】
また、本発明の第３の態様によれば、
電気機器に接続される機器側コネクタと嵌合される電源側コネクタにおいて、
前記電源側コネクタは、
直流電源に接続されるものであって、
前記機器側コネクタの２つの受電端子に対応する２つの給電端子と、
前記給電端子と前記直流電源とを電気的に接続するための接続位置と、前記給電端子と前記直流電源との接続を解除するための解除位置との間で移動されるスイッチ部材とを有する電源側コネクタが提供される。
【手続補正８】
【補正対象書類名】明細書
【補正対象項目名】００１０
【補正方法】変更
【補正の内容】
【００１０】
また、本発明の第４の態様によれば、
電気機器に接続される機器側コネクタと嵌合される電源側コネクタにおいて、
前記電源側コネクタは、
電源に接続されるものであって、
前記機器側コネクタの２つの受電端子に対応する２つの給電端子と、
前記給電端子と前記電源とを電気的に接続するための接続位置と、前記給電端子と前記電源との接続を解除するための解除位置との間で移動されるスイッチ部材と、
前記電源側コネクタと前記機器側コネクタとの嵌合前に、前記スイッチ部材の前記解除位置から前記接続位置への移動を規制する規制機構とを有する電源側コネクタが提供される。
また、本発明の第５の態様によれば、
電気機器に接続される機器側コネクタと嵌合される電源側コネクタが複数設けられている電力供給ユニットにおいて、
前記電源側コネクタは、
直流電源に接続されるものであって、
前記機器側コネクタの２つの受電端子に対応する２つの給電端子と、
前記給電端子と前記直流電源とを電気的に接続するための接続位置と、前記給電端子と前記直流電源との接続を解除するための解除位置との間で移動されるスイッチ部材とを有する電力供給ユニットが提供される。
また、本発明の第６の態様によれば、
電気機器に接続される機器側コネクタと嵌合される電源側コネクタが複数設けられている電力供給ユニットにおいて、
前記電源側コネクタは、
電源に接続されるものであって、
前記機器側コネクタの２つの受電端子に対応する２つの給電端子と、
前記給電端子と前記電源とを電気的に接続するための接続位置と、前記給電端子と前記電源との接続を解除するための解除位置との間で移動されるスイッチ部材と、
前記電源側コネクタと前記機器側コネクタとの嵌合前に、前記スイッチ部材の前記解除位置から前記接続位置への移動を規制する規制機構とを有する電力供給ユニットが提供される。
【手続補正９】
【補正対象書類名】明細書
【補正対象項目名】００１１
【補正方法】変更
【補正の内容】
【００１１】
本発明によれば、電力を供給するのに適したコネクタ装置、電源側コネクタ、及び電力供給ユニットを提供することができる。